(57)【要約】【課題】上面側の中央部に突出部を設けたディスクカートリッジを収納した場合でもケース本体部の内面との間に隙間が生じるのを防止する。【解決手段】カートリッジ収納用ケース１は、カートリッジを収納するスリーブ状のケース本体部２と、ケース本体部２内にカートリッジを係止するロック部材３と、を備えている。上記ケース本体部２は、表裏面を構成する第１の主面１１又は第２の主面１２の開口部側の内面に、収納したカートリッジ３０１の上面の凹部に位置する隙間消去用の膨出部４を備えている。そして、上記膨出部４で上記カートリッジ３０１の上面の凹部の間の隙間を塞いで、塵埃等が侵入するのを阻止した。【選択図】　図１
2004099055.tif 000002
【特許請求の範囲】
【請求項１】
一側部に設けた開口部からカートリッジを挿抜するようになっているスリーブ状のケース本体部と、該ケース本体部内に収納されたカートリッジをロックするロック部材と、を備え、
上記ケース本体部は、表裏面を構成する第１の主面又は第２の主面の開口部側の内面に、収納されたカートリッジとの間の隙間を塞ぐ隙間消去用の膨出部を備えている
ことを特徴とするカートリッジ収納用ケース。
【請求項２】
上記隙間消去用の膨出部は、上記ケース本体部の表裏面を構成する第１の主面の開口部側の両側部に設けられている
ことを特徴とする請求項１に記載のカートリッジ収納用ケース。
【請求項３】
上記ケース本体部は、結合手段とヒンジによって上記表裏面を構成する第１の主面と第２の主面とが展開可能に連結されている
ことを特徴とする請求項１に記載のカートリッジ収納用ケース。
【請求項４】
上記ケース本体部は、上記開口部に対向する底壁の内側に、収納されたカートリッジの前面が接触する該前面と略同形状のカートリッジ保護リブを備えている
ことを特徴とする請求項１に記載のカートリッジ収納用ケース。
【請求項５】
上記カートリッジ保護リブは、収納されたカートリッジの前面の最先端部との接触を回避する切欠部を備えている
ことを特徴とする請求項４に記載のカートリッジ収納用ケース。
【請求項６】
上記第１の主面又は第２の主面の何れか一方は、他方のカートリッジ保護リブと底壁との間の凹部に嵌合する主面相互結合用の凸部を備えている
ことを特徴とする請求項４に記載のカートリッジ収納用ケース。
【請求項７】
主面相互結合用の凸部は、弾性を付与されている
ことを特徴とする請求項６に記載のカートリッジ収納用ケース。
【請求項８】
上記ケース本体部は、上記第１，第２の主面の少なくとも何れか一方に、これら第１，第２の主面を重ねたときに、これら第１，第２の主面の間に介在されて、上記第１，第２の主面の間の間隔を一定に保つ間隔保持用のリブを備えている
ことを特徴とする請求項３に記載のカートリッジ収納用ケース。
【請求項９】
上記ロック部材は、カートリッジに設けられているクランピング凹部に係合する凸部を一端部に備え、他端部に軸受部を備えた弾性材で形成されていて、上記軸受部にケース本体部の第１の主面又は第２の主面の何れか一方に設けたロック部材取付軸を挿入することによりケース本体部に取付けられている
ことを特徴とする請求項１に記載のカートリッジ収納用ケース。
【請求項１０】
上記軸受部は、小径の孔部と、該小径の孔部の上端に連設された大径の孔部と、を備え、
上記ケース本体部に設けたロック部材取付軸は、小径の孔部に遊嵌される小径の軸部と、該小径の軸部の先端に連設されていて上記大径の孔部と小径の孔部との間の段差部に係合する抜止部と、を備えている
ことを特徴とする請求項９に記載のカートリッジ収納用ケース。
【請求項１１】
上記ケース本体部の外面には、透明樹脂シートによりポケット部が形成されている
ことを特徴とする請求項１に記載のカートリッジ収納用ケース。
【発明の詳細な説明】
【０００１】
【発明の属する技術分野】
本発明は、ディスクカートリッジ等の情報記録媒体のカートリッジを収納するカートリッジ収納用ケース、その中でも特にカートリッジの出し入れが容易なスリーブ状のカートリッジ収納用ケースに関するものである。
【０００２】
【従来の技術】
スリーブ状のカートリッジ収納用ケースとして、特開平５−２７８７７２号のディスクカートリッジ用ケースが知られている。図１６に示すように、上記ディスクカートリッジ用ケース１０１は、天板部１０２ａを有する天板部材１０２と、底板部１０３ａを有する底板部材１０３と、を突き合わせ結合し、前方側にスリット開口部１０４を有するスリーブケースとして構成したものである。上記ディスクカートリッジ用ケース１０１は、図１７に分解して示したように、内部に弾性変位可能なロック部材１０５を備えている。上記ロック部材１０５は、ディスクカートリッジ２０１のクランピング凹部２０２に係合するようになっている。
【０００３】
【発明が解決しようとする課題】
上記ディスクカートリッジ用ケース１０１は、ディスクカートリッジの出し入れが容易であるという利点がある反面、次に述べるような問題点があった。
（１）上記天板部１０２ａ及び底板部１０３ａの内面がフラットに形成されているために、図１８に示すような、上面側の中央部に突出部３０２を設け、該突出部３０２の内側に磁性体で作られたチャッキングプレート（図示省略）を内蔵させたディスクカートリッジ３０１を収納した場合には、図１９に示すように、ディスクカートリッジ３０１の上面の中央部の凸部３０２を挟んでその両側の凹部３０３と、上記天板部１０２ａとの間に大きな隙間Ｇが生じて、該隙間Ｇからディスクカートリッジ３０１内に塵埃等が侵入してしまう。また、上記天板部１０２ａの側部に外圧が加わった場合に、上記隙間Ｇの存在により上記天板部１０２ａが変形してしまうことがある。
（２）上述のようなスリーブ状のディスクカートリッジは、その内部を掃除するのが難しい。
【０００４】
本発明の目的は、上述のような上面側の中央部に凸部３０２を設けたディスクカートリッジ３０１を収納した場合でも上記凸部３０２の両側部に隙間が生じるのを防止することのできるディスクカートリッジ用ケースを提供することにある。
【０００５】
また、本発明の他の目的は、スリーブ状のケース本体部の内部の掃除を容易に行なうことのできるディスクカートリッジ用ケースを提供することにある。
【０００６】
【課題を解決するための手段】
本発明は、一側部に設けた開口部からカートリッジを挿抜するようになっているスリーブ状のケース本体部と、該ケース本体部内に収納されたカートリッジをロックするロック部材と、を備えたカートリッジ用ケースにおいて、
上記ケース本体部の表裏面を構成する第１の主面又は第２の主面の開口部側の内面に、収納したカートリッジの上面の凸部の両側の凹部に位置する隙間消去用の膨出部を設けることにより、
上記第１の主面又は第２の主面の開口部側の内面と、収納したカートリッジの上面の凸部の両側の凹部と、の間の隙間を上記膨出部で塞いで、上記隙間をなくして塵埃等の侵入を防止した。
【０００７】
また、本発明は、上記ケース本体部を、結合手段とヒンジによって展開可能にすることにより、
必要に応じて上記ケース本体部を展開して、内部の掃除等を行なうことができるようにした。
【０００８】
【発明の実施の形態】
図１は、カートリッジ収納用ケース１の斜視図、図２はケース本体部を展開し、ロック部材を取り外した状態の斜視図、図３は図１のＡ−Ａ断面図、図４はロック部材の拡大図である。
【０００９】
図１に示すように、上記カートリッジ収納用ケース１は、情報記録媒体カートリッジとしてのディスクカートリッジ（以下、単にカートリッジと称する）３０１を収納するスリーブ状のケース本体部２と、該ケース本体部２内に設けられていて、収納したカートリッジ３０１の一側部に設けられたクランピング凹部３０４に係合して、該カートリッジ３０１をケース本体部２内に係止するロック部材３を備えている。
【００１０】
上記カートリッジ３０１は、上面の略中央部に凸部３０２を備え、該凸部３０２の内側に磁性体で作られたチャッキングプレート（図示省略）を内蔵している。上記カートリッジ３０１の上面の凸部３０２の両側部は、これよりも一段低い凹部３０３，３０３になっている。上記ケース本体部２は、ケース本体部２の内面とカートリッジ３０１の上面との間の隙間を塞ぐ隙間消去用の膨出部４を備えている。
【００１１】
図３に示すように、上記膨出部４は、上記第１の主面１１の開口部側の両側部に上記カートリッジ３０１の中央の凸部３０２の高さＨと略同じ高さに形成されている。
【００１２】
そして、上記カートリッジ３０１を収納すると、上記膨出部４は、上記カートリッジ３０１の上面の中央の凸部３０２の両側の凹部３０３に位置して、カートリッジ３０１の上面と、第１の主面１１の内面との間の隙間を塞いで塵埃等が侵入するのを阻止するようになっている。
【００１３】
図１に示すように、上記ケース本体部２は、表，裏面を構成する第１，第２の主面１１，１２と、これら第１，第２の主面１１，１２の周縁部に配置された第１〜第３の側壁１３〜１５と、を備えている。
【００１４】
図２に示すように、上記第１の主面と第２の主面１１，１２は、上記第１の側壁１３及び第１，第２の薄肉のヒンジ部１６，１７によって展開可能に連結されている。
【００１５】
上記第２の側壁１４は、第１の主面１１に設けた側壁構成部１４ａと、第２の主面１２に設けた側壁構成部１４ｂを突き合わせることにより構成されている。また、上記第３の側壁（以下、底壁と称する）１５は、第１の主面１１に設けた側壁構成部１５ａと、第２の主面１２に設けた側壁構成部１５ｂを突き合わせることにより構成されている。
【００１６】
第１の主面１１に設けた側壁構成部１４ａと第２の主面１２に設けた側壁構成部１４ｂは、その先端の突き合せ部に、段部１４ｃ，１４ｄを備えている。そして、図７に示すように、上記側壁構成部１４ａと側壁構成部１４ｂを突き合わせると、上記段部１４ｃ，１４ｄの係合により上記第１の主面１１と第２の主面１２の位置ずれを防止するようになっている。また、上記第１の主面１１に設けた側壁構成部１５ａと第２の主面１２に設けた側壁構成部１５ｂも同様の構成になっている。
【００１７】
また、第１の主面１１の側壁構成部１４ａと第２の主面１２の側壁構成部１４ｂ及び第１の主面１１の側壁構成部１５ａと第２の主面１２の側壁構成部１５ｂは、その先端部を突き合わせた状態すると、図８に示すように、結合手段１８によって互いに結合されるようになっている。
【００１８】
上記結合手段１８は、第１の主面１１の側壁構成部１４ａ及び第２の主面１２の側壁構成部１５ａにそれぞれ一対ずつ設けた係合部１８ａと、第２の主面１２の側壁構成部１４ｂ及び第１の主面１１の側壁構成部１５ｂにそれぞれ一対ずつ設けた被係合部１８ｂと、で構成されている。
【００１９】
上記係合部１８ａと被係合部１８ｂは、第１の主面１１に設けた側壁構成部１４ａと第２の主面１２に設けた側壁構成部１４ｂ及び第１の主面１１に設けた側壁構成部１５ａと第２の主面１２に設けた側壁構成部１５ｂの先端部を突き合わせると、互いに係合して、第１の主面１１に設けた側壁構成部１４ａと第２の主面１２に設けた側壁構成部１４ｂを結合すると共に、第１の主面１１に設けた側壁構成部１５ａと第２の主面１２に設けた側壁構成部１５ｂとを結合するようになっている。
【００２０】
また、図９に示すように、第１の主面１１に設けた側壁構成部１４ａと第２の主面１２に設けた側壁構成部１４ｂの突き合せ部には、指掛け用の凹部１９が設けられている。そして、上記指掛け用の凹部１９に指先等を挿入して、上記第１の主面１１と第２の主面１２を押し開くようにすれば、上記結合手段１８を構成する係合凸部１８ａと係合凹部１８ｂの係合が外れて、両者の結合は解除されるようになっている。
【００２１】
また、図１０に示すように、上記ケース本体部２は、上記第１の主面１１と第２の主面１２を重ねてスリーブ上にしたときに、これら第１，第２の主面１１，１２の間の間隔Ｄを一定に保つ間隔保持用のリブ３０を備えている。上記間隔保持用のリブ３０は、上記第１の側壁１３と上記第１，第２の主面１１，１２を連結しているヒンジ部１６，１７に沿って形成されている。
【００２２】
図２に示すように、第２の主面１２の第１の側壁１３と側壁構成部１５ｂのコーナー部分の内側には、上記カートリッジ３０１の前面の一側部３０５ａ（図１参照）が当接する略円弧状の第１のカートリッジ保護リブ２２が設けられていると共に、側壁構成部１４ｂと側壁構成部１５ｂのコーナー部分の内側には、上記カートリッジ３０１の前面の他側部３０５ｂ（図１参照）が当接する略円弧状の第２のカートリッジ保護リブ２３が設けられている。
【００２３】
上記第１のカートリッジ保護リブ２２と第２のカートリッジ保護リブ２３の間は、凹部２４になっていて、カートリッジ３０１の前面の中央の先端部３０５ｃ（図１参照）が上記側壁構成部１５ｂの内面に当接することのないようになっている。
【００２４】
同様に、上記第１の主面１１の上記第１の側壁１３と側壁構成部１５ａのコーナー部分の内面で、上記第２の主面１２の第１のカートリッジ保護リブ２２と対向する位置には、第３のカートリッジ保護リブ２６が設けられていると共に、上記側壁構成部１４ａと側壁構成部１５ａのコーナー部分の内面で、上記第２の主面１２の第２のカートリッジ保護リブ２３と対向する位置には、第４のカートリッジ保護リブ２７が設けられている。
【００２５】
上記第３のカートリッジ保護リブ２６は、上記第１のカートリッジ保護リブ２２と略同様に構成され、上記第４のカートリッジ保護リブ２７は、上記第２のカートリッジ保護リブ２３と略同様に構成されている。
【００２６】
上記第２の主面１２の第２のカートリッジ保護リブ２３よりも外側（側壁構成部１５ｂ側）には、上記ロック部材３を回動可能に取付けるロック部材取付軸２１が設けられ、該ロック部材取付軸２１に対向する第１の主面１１の内面には、上記ロック部材取付軸２１の上端部に嵌合する凸部２０が設けられている。
【００２７】
図４、図５に示すように、上記ロック部材取付軸２１は、下端の台座部２１ａ上に略四角形状の軸部２１ｂを突設すると共に、該軸部２１ｂの上端部に抜止部２１ｃを設けることにより形成されている。上記ロック部材取付軸２１は、上記抜止部２１ｃから軸部２１ｂの下端にかけてスリット２１ｄにより軸方向に２分割されていて、次に説明するロック部材３の軸受部４２への挿入を容易に行なうことができるようになっていると共に、分割することにより適度の弾性が付与されている。上記台座部２１ａは、ロック部材３を第２の主面１２上から離間させて、撓み易くさせるためのものであり、図６に示すように、ロック部材３側に上記台座部２１ａの代わる凸部４３を設けても良い。
【００２８】
また、図１１に拡大して示すように、上記第２の主面１２の第１のカートリッジ保護リブ２２と側壁構成部１５ｂの間には、補助結合用突部２８が設けられている。また、上記第１の主面１１の内面の上記補助結合用凸部２８と対向する位置に補助結合用凹部２９を備えている。
【００２９】
上記補助結合用凸部２８は、第１の主面１１を第２の主面１２上に重ね合わせたときに、上記補助結合用凹部２９に嵌合して、上記主たる結合手段１８と共に、上記第１の主面１１と第２の主面１２を確実に結合するようになっている。
【００３０】
上記ケース本体部２は、可撓性に優れ、且つ引っ張り伸び率の高いポリプロピレン（ＰＰ）やポリエチレン（ＰＥ）等の熱可塑性樹脂により一体的に射出成形されている。
【００３１】
次に、ロック部材３について説明する。図４に示すように、上記ロック部材３は、カートリッジ３０１に設けられているクランピング凹部３０４に係合する凸部４１を一端部に備え、他端部に軸受部４２を備えた弾性材で形成されていて、上記軸受部４２に上記ケース本体部２設けたロック部材取付軸２１を挿入することによりケース本体部２に取付けられる。
【００３２】
図５に示すように、上記軸受部４２は、略四角形状の小径孔部４２ａと、該小径孔部４２ａの上端に連設された大径孔部４２ｂと、を備えている。
上記ロック部材３は、上記軸受部４２に上記ロック部材取付軸２１を挿入すると、上記小径孔部４２ａ内に上記ロック部材取付軸２１の軸部２１ｂが位置し、上記大径孔部４２ｂ内に上記抜止部２１ｃが位置して、該抜止部２１ｃにより所謂抜けを防止された状態で上記ロック部材取付軸２１に回転不可能に取付けられている。
【００３３】
上記ロック部材３は、ポリプロピレン（ＰＰ）やポリエチレン（ＰＥ）等の熱可塑性樹脂の他にポリスチレン（ＰＳ）やハイインパクトポリスチレン（ＧＰ−ＰＳ）、アクリルブチレンスチロール（ＡＢＳ）等の比較的コストの安い熱可塑性樹脂で射出成形により一体的に形成されている。上記ロック部材３は、ケース本体部２のようにヒンジ部を備えておらず、従って、ケース本体部２ほどの可撓性や引っ張り伸び率等の性能は要求されないので、樹脂の材質がケース本体部２のように限定されず、比較的コストの安い熱可塑性樹脂を使用することができる。
【００３４】
上記カートリッジ収納用ケース１は、上述のような構成であって、ロック部材取付軸２１にロック部材３を組付けた後に、第１の主面１１の側壁構成部１４ａと第２の主面１２の側壁構成部１４ｂ及び第１の主面１１の側壁構成部１５ａと第２の主面１２の側壁構成部１５ｂの先端部を突き合わせた状態すると、図８に示すように、結合手段１８等によって互いに結合されて、ケース本体部２は、スリーブ状に組立てられる。
【００３５】
そして、スリーブ状に組立てられて、ケース本体部２の開口部からカートリッジ３０１を挿入すれば、該カートリッジ３０１で上記ロック部材３の凸部４１が押されて、上記ロック部材３は、逃げ方向に撓んで上記カートリッジ３０１の更なる挿入を許容する。上記カートリッジ３０１のクランピング凹部３０４が上記凸部４１の位置まで挿入されると、該凸部４１は、上記ロック部材３の弾性復元力によって自動的に上記クランピング凹部３０４に係合して、カートリッジ３０１をケース本体部２内に収納した状態でロックする。そして、このようにカートリッジ３０１がケース本体部２内にロックされた状態において、図３に示すように、ケース本体部２の内面に設けた膨出部４は、上記カートリッジ３０１の上面の凸部３０２の両側部の凹部３０３に位置して、該凹部３０３と第１の主面１１の内面との間の隙間を塞いで塵埃等の侵入を阻止するのである。また、ケース本体部２からカートリッジ３０１を取り出す場合は、上記ケース本体部２を構成する第１，第２の主面１１，１２の開口部側の端部に設けたカートリッジ取出用の切欠凹部５０を利用して、カートリッジ３０１の後端部を指先等で摘まんで牽引すれば、上記凸部４１は、上記クランピング凹部３０４から抜け出てロックは自動的に解除された状態になるのである。
【００３６】
図１２、図１３は、第２の実施の形態のカートリッジ収納用ケース１を示す。この実施の形態は、第２の主面１２の内面にインデックスカード５３等を収納する凹部５１が設けられている。
【００３７】
上記凹部５１の少なくとも四隅部にはカード押え片５２が設けられていて、これらカード押え片５２で上記インデックスカード５３の四隅部を押さえて上記凹部５１内に収納したインデックスカード５３を取付けるようになっている。他の構成は、第１の実施の形態の場合と同じであるので、同一構成部分には同一符合を付して重複する説明を省略する。
【００３８】
図１４、図１５は、第３の実施の形態のカートリッジ収納用ケース１を示す。この実施の形態は、ケース本体部２の外面にインデックスカード５０等を収納するポケット６１を設けている。
【００３９】
上記ポケット６１は、長方形状の透明樹脂シート６２を、展開したケース本体部２の第１の側壁１３を中心にして第１の主面１１と第２の主面１２の両者に跨るように重ね合わせて、上記長方形状の透明樹脂シート６２の３辺が溶着等の手段により上記第１の主面１１と第２の主面１２に接着されている。６３は、接着部である。
【００４０】
そして、接着されていない他の１辺側の開口部６４から、上記透明樹脂シート６２と上記第１の主面１１及び第２の主面１２の間にインデックスカード等を挿入するようになっている。
【００４１】
上記長方形状の透明樹脂シート６２は、展開したケース本体部２の第１の主面１１と第２の主面１２にインデックスカード等を挿入するのに必要な隙間ができるようにして、上記展開したケース本体部２の第１の主面１１と第２の主面１２に接着されている。そして、上記展開したケース本体部２をスリーブ状に折り曲げると、上記長方形状の透明樹脂シート６２及びインデックスカード等は、スリーブ状に折り曲げられたケース本体部２の第１の主面１１と第２の主面１２に密着するようになっている。他の構成は、第１の実施の形態の場合と同じであるので、同一構成部分には同一符合を付して重複する説明を省略する。
【００４２】
【発明の効果】
本発明の情報記録媒体カートリッジには次に述べるような効果がある。
（１）請求項１のカートリッジ収納用ケースは、ケース本体部の内面と、該ケース本体部内に収納したカートリッジとの間の隙間をケース本体部の開口部側の端部に設けた隙間消去用の膨出部で塞いで、上記隙間から塵埃等が侵入するのを防止することができる。
（２）請求項２のカートリッジ収納用ケースは、上記隙間消去用の膨出部をケース本体部の開口部側の端部の両側部に設けたので、チャッキングプレートを内蔵するなどして、上面の中央部が突出し、その両側部が凹んだ状態になっているディスクカートリッジ等を収納する場合に使用して好適なものになる。
（３）請求項３のカートリッジ収納用ケースは、ケース本体部を展開することにより、内部の掃除等を容易に行なうことができる。
（４）請求項４のカートリッジ収納用ケースは、ケース本体部の底壁の内側にカートリッジ保護リブを設け２重壁構造にしたので、カートリッジ収納用ケースを誤って落としたような場合でも、落下時の衝撃等からカートリッジを保護することができる。
（５）請求項５のカートリッジ収納用ケースは、上記カートリッジ保護リブの中央部に凹部を設け、収納されたカートリッジの前面の先端部が上記ケース本体部の底壁に直接、接触しないようにしたので、落下時等において、その衝撃がカートリッジの前面の中央部に集中するのを防止することができる。
（６）請求項６のカートリッジ収納用ケースは、ケース本体部をスリーブ状にするべく、第１の主面と第２の主面を重ね合わせると、一方の主面に設けた主面相互結合用の凸部が、他方の主面に設けた凹部に嵌合して、上記第１の主面と第２の主面を結合することができる。
（７）請求項７のカートリッジ収納用ケースは、上記主面相互結合用の凸部に弾性を持たせたので、カートリッジ収納用ケースを誤って落としたような場合に、上記主面相互結合用の凸部が弾性変形して落下時の衝撃を吸収することができる。
（８）請求項８のカートリッジ収納用ケースは、第１，第２の主面を重ね合わせてスリーブ状にしたときに、上記第１，第２の主面の少なくとも何れか一方に設けた間隔保持リブによって、上記第１，第２の主面の間の間隔を一定に保つことができる。
（９）請求項９のカートリッジ収納用ケースは、ケース本体部の第１の主面又は第２の主面のいずれかに設けたロック部材取付軸をロック部材の軸受孔に挿入することによりロック部材をロック部材取付軸に確実、容易に取付けることができる。そして、上記ロック部材により挿入したカートリッジをロック部材でロックして、上記カートリッジがカートリッジ収納部内から抜け出るのを防止することができる。
（１０）請求項１０のカートリッジ収納用ケースは、ロック部材取付軸に取付けたロック部材がロック部材取付軸から抜け出るのを防止することができる。
（１１）請求項１１のカートリッジ収納用ケースは、インデックスカード等をポケット部内に挿入し、挿入したインデックスカード等を外部から読み取ることが可能になる。
【図面の簡単な説明】
【図１】第１の実施の形態のカートリッジ収納用ケースの斜視図。
【図２】第１の実施の形態のカートリッジ収納用ケースの展開図。
【図３】図１のＡ−Ａ断面図。
【図４】ロック部材及びロック部材取付軸の斜視図。
【図５】ロック部材の軸受孔にロック部材取付軸を挿入した状態の断面図。
【図６】ロック部材の他の実施例の斜視図。
【図７】第１，第２の主面の突き合せ部の断面図。
【図８】結合手段の断面図。
【図９】指掛け用の凹部の断面図。
【図１０】間隔保持用のリブ部分の断面図。
【図１１】主面相互結合用の凸部と凹部の斜視図。
【図１２】第２の実施の形態のカートリッジ収納用ケースの展開した状態の斜視図。
【図１３】要部の断面図。
【図１４】第３の実施の形態のカートリッジ収納用ケースの斜視図。
【図１５】第３の実施の形態のカートリッジ収納用ケースを展開した状態の斜視図。
【図１６】従来例の斜視図。
【図１７】従来例の分解斜視図。
【図１８】他の従来例の斜視図。
【図１９】従来例の問題点を示す説明図。
【符号の説明】
１…カートリッジ収納ケース、２…ケース本体部、３…ロック部材、４…膨出部、５…ヒンジ部、１１…第１の主面、１２…第２の主面、１３…第１の側壁、１４…第２の側壁、１４…第２の側壁、１５…第３の側壁（底壁）、１６，１７…ヒンジ部、１８…結合手段、１９…指掛け用凹部。
【図１】
2004099055.tif 000003
【図２】
2004099055.tif 000004
【図３】
2004099055.tif 000005
【図４】
2004099055.tif 000006
【図５】
2004099055.tif 000007
【図６】
2004099055.tif 000008
【図７】
2004099055.tif 000009
【図８】
2004099055.tif 000010
【図９】
2004099055.tif 000011
【図１０】
2004099055.tif 000012
【図１１】
2004099055.tif 000013
【図１２】
2004099055.tif 000014
【図１３】
2004099055.tif 000015
【図１４】
2004099055.tif 000016
【図１５】
2004099055.tif 000017
【図１６】
2004099055.tif 000018
【図１７】
2004099055.tif 000019
【図１８】
2004099055.tif 000020
【図１９】
2004099055.tif 000021